(57)【特許請求の範囲】
【請求項１】
ハンドホール等の側壁に貫通固定されたソケット部材に、パイプを接続するに際し、
前記側壁の外壁側に、開口部を有する直管状管受部の内周面に、接続せんとするパイプの端部位置決め用として、内壁側の開口部からの入射光線によって陰影を生じる、リング状の凹溝が形成されたソケット部材を用い、
前記外壁側の開口部からソケット部材に挿入されるパイプの端部位置決めを、前記リング状の凹溝を用い、内壁側の開口部からの目視により行うこと
を特徴とするハンドホール等におけるパイプの接続方法。
【発明の詳細な説明】
【０００１】
【発明の属する技術分野】
この発明は、電力ケーブル、通信ケーブル、光ファイバーケーブルなどの敷設のために設けたハンドホール、あるいはマンホール、貯水槽など（以下、「ハンドホール等」と総称する。）の側壁に貫通固定されたソケット部材に、前記ケーブルを収容する保護管などのパイプを接続するための、ハンドホール等におけるパイプの接続方法に関するものである。
【０００２】
【従来の技術】
たとえば、地中に敷設する電力ケーブル、通信ケーブル、光ファイバーケーブルなどのケーブルは、レジンコンクリートなどによって作られた点検用のハンドホールを、地表の要所を掘り下げて埋め込み、所要の距離をおいて設置したこれらハンドホールの側壁に、ソケット部材を介して、前記ケーブルを収容する保護管などのパイプを接続している。
【０００３】
すなわち、図２に示すように、かかるソケット部材２１は、パイプ２９の挿入側に該当する一端の開口部２２から他端の開口部２３に向けて挿入すべきパイプの外径にほぼ等しい内径の直管部を所定の長さで形成して管受部２４とし、この管受部２４の前記挿入側に当たる開口部２２の近傍の内側にゴム輪で形成されたパッキングを保持するためのパッキング保持部２５を外方に向けて膨出して形成し、前記管受部２４の内奥部から他端の開口部２３側に向けて緩やかな縮径による所定の長さの縮径部２６を形成したのち、緩やかに拡径したラッパ状のガイド部２７を形成しているものである。
【０００４】
このソケット部材２１の前記縮径部２６とガイド部２７の部分は、主としてハンドホール等２８の接続側の側壁を貫通して、他端の開口部２３を、側壁の内面と面一になるように固定される部分であるため、この部分の外周面に砂付け加工部を形成して側壁との結合を緊密にしているものである。
【０００５】
このハンドホール等２８の側壁を貫通して固定するソケット部材２１には、前記開口部２２から接続せんとするパイプ２９の端部を挿入して、パイプ２９の管端を管受部２５のほゞ中央の定位置となるように留めて保持するもので、挿入したパイプ２９は、ソケット部材２１の開口部２２の近傍に形成したパッキング保持部２５内に存在させたリング状のパッキング３０によって気密状態で保持される。
【０００６】
前記ソケット部材２１に接続するパイプ２９は、その挿入深さが管受部２４内で深すぎても、また、浅すぎても取付けが不安定になって好ましくないため、挿入したパイプ２９の端部の位置を確認するため従来から種々な方法が行われている。
【０００７】
その一つは、ハンドホール等２８内に作業者が入り、開口部２３の中にメジャーや当て板を差し入れ、外側の作業者の挿入するパイプ２９の端部の位置をこのメジャーや当て板で測りながら所定位置に保持する方法である。
他の一つは、ソケット部材２１の、管受部２４の内面の所定位置にマーカーや、けがきなどで標線を付け、ハンドホール等２８内に入った作業者がこの標線を見ながら外側の作業者の挿入するパイプ２９の端部の位置を決める方法である。
また、前記標線を管受部２４の外面に設け、およその見当によって挿入深さを決めることも一部で行われている。
【０００８】
【発明が解決しようとする課題】
接続せんとするパイプ２９の、挿入時におけるこれら挿入深さの決定は、ソケット部材２１の管内が暗いために判定が困難で、位置決めに時間を要し、照明によってこれを行っても位置決めが多分に不確実となる。
また、標線を管受部２４の外面に付けたものは、外面の標線の位置を記憶してこれから内面の位置を想像して位置決めするごく大雑把なものであるため、位置決め方法としては全く論外のものである。
【０００９】
これらの接続方法は、ソケット部材が比較的短い場合には可能であるとしても、長いソケット部材に対しては有効性を欠き、作業能率の著しい低下を招くため、より容易な位置決めが望まれているものであった。
【００１０】
この発明はかかる現状に鑑み、ハンドホール等の側壁に一体的に設けられるソケット部材の所要の部位に、接続せんとするパイプの管端を、簡単かつ容易にセットすることのできる、ハンドホール等におけるパイプの接続方法を提供せんとするものである。
【００１１】
【課題を解決するための手段】
前記の目的の達成するため、この発明のハンドホール等におけるパイプの接続方法は、
ハンドホール等の側壁に貫通固定されたソケット部材に、パイプを接続するに際し、
前記側壁の外壁側に、開口部を有する直管状管受部の内周面に、接続せんとするパイプの端部位置決め用として、内壁側の開口部からの入射光線によって陰影を生じる、リング状の凹溝が形成されたソケット部材を用い、
前記外壁側の開口部からソケット部材に挿入されるパイプの端部位置決めを、前記リング状の凹溝を用い、内壁側の開口部からの目視により行うこと
を特徴とするものである。
【００１１】
【発明の実施の形態】
この発明にかかるハンドホール等におけるパイプ接続方法において、使用するソケット部材は、好ましくは、塩化ビニル樹脂、ポリエチレン、ポリプロピレンなどの熱可塑性樹脂の成形、特に、ブロー成形によって得られたものである。
【００１２】
このソケット部材は、一端開口部から所定の長さの部分を、挿入するパイプの外径にほぼ等しい内径の直管部とし、この直管部を挿入したパイプを保持するための管受部とし、また、前記一端開口部の近傍の、管受部の周壁には、外方に向けて膨出させたパッキング保持部を形成している。
【００１３】
かかるソケット部材の長さや径などのサイズには特に制限がなく、形成すべき管路の目的などによって適宜に選択することができる。
【００１４】
このソケット部材は、設定した管受部の一端開口部から、長さ方向における所定位置の内周面に、挿入すべきパイプの管端部を位置決めするための指標として、凹溝を設けたものである。
なお、この凹溝は、目視が容易なように、管受部の所要内面にリング状に形成するものである。
その際、ブロー成形によって管受部の内外面を外方に膨出させた膨出部を標線とすることによって、ソケット部材を容易に得ることができる。
【００１５】
このソケット部材は、たとえば、複数のケーブルを保護管（パイプ）などで保護してハンドホール等の側壁に貫通固定する場合に使用される、ベルマウス付ソケットとして利用できる。
また、このベルマウス付ソケットの複数をレジンコンクリートなどで結合して形成したベルブロックを、前記ハンドホールの側壁に固定して複数のケーブルによる管路を形成することができ、その際のベルマウス付ソケットへの保護管（パイプ）の取付けに有利に機能するものである。
【００１６】
【作用】
この発明のハンドホール等におけるパイプ接続方法に用いるソケット部材は、ハンドホール等の側壁を貫通して固定された一端開口部から、取付けんとするパイプを挿入し、挿入したパイプの管端が管受部に形成された、前記リング状の凹溝の部分に位置するよう保持するものである。
その際、ハンドホール等の内部に作業者が入って、他端開口部からソケット部材の内部を見ると、形成された前記リング状の凹溝に開口部から入る光線が当たり、当該部位に陰影を生ずるため容易にその位置を確認することができる。
これに合わせて挿入するパイプの管端部を、このリング状の凹溝の位置に留めることによって、短時間に管の挿入深度を決定することができ、これによってソケット部材に管を安定して取付けることができる。
かかる凹溝の設定は、長いソケット部材に対する管の取付けに特に有利なものである。
【００１７】
【実施例】
以下、この発明にかかるハンドホール等におけるパイプ接続方法の実施例を、添付の図面に基づいてより具体的に説明する。
図１はこの発明にかかるハンドホール等におけるパイプ接続方法に用いられる、ソケット部材の一例における使用状態を示す一部切欠断面図であって、このパイプ接続用のソケット部材１は、塩化ビニル樹脂のブロー成形によって得られたものである。
【００１８】
このソケット部材１は、一方の開口部２から他方の開口部３に向けて、挿入すべきパイプ１２の外径にほぼ等しい内径の直管部を所定の長さで形成して管受部４とし、この管受部４の前記開口部２の近傍内周面には、パッキング１１を保持するためのパッキング保持部５を外方に向けて膨出させて形成すると共に、管受部４の内奥部から他端の開口部３側に向けて、緩やかな縮径による所定の長さの縮径部６を形成し、他方の開口縁を緩やかに拡径してラッパ状のガイド部７としたものである。
【００１９】
このソケット部材１の、前記縮径部６とガイド部７の部分の外周面には、粗面による砂付け加工部８が形成され、前記管受部４の長手方向の中央よりやや内奥の部分には、管受部４の内外面を外方に向けて膨出させて、リング状の凹溝９を設けているものである。
【００２０】
このリング状の凹溝９の形成は、ソケット部材１のブロー成形に際し、パッキング保持部５や縮径部６、ガイド部７などの異形部分と共に、同時に、しかも容易に形成することができる。
【００２１】
このソケット部材１は、レジンコンクリートで作られたハンドホール等１０の側壁を貫通して、他端の開口部３を側壁の内面と面一になるようにして固定される。
その際、縮径部６とガイド部７の部分の外周面に形成した砂付け加工部８が、側壁のレジンコンクリートとよく馴染んで、固定部を気密に保持することができる。
【００２２】
前記ハンドホール等１０の側壁を貫通して固定された、前記ソケット部材１の開口部２からは、接続せんとするパイプ１２の端部を挿入して、管端が管受部４に形成された前記リング状の凹溝９の部分に位置するよう保持される。
この場合、ハンドホール等１０の内部に一人の作業者が入って、固定された他端の開口部３からソケット部材１の内部を見ると、内外面の外方への膨出によって形成された、前記リング状の凹溝９内に開口部３からの光線が当たり、リング状の凹溝９部分に陰影が生ずるため、容易にその位置を確認することができる。
したがって、その位置に合わせて外部からのパイプ１２の挿入深度を、迷うことなく、短時間にリング状の凹溝９に合致させることができ、これによって所定位置にパイプ１２を保持させることができるものである。
【００２３】
なお、このパイプ１２は、挿入に当たって、ソケット部材１の開口部２の近傍に形成したパッキング保持部５内に存在させた、リング状のパッキング１１によって気密状態で保持される。
【００２４】
かくして、前記ソケット部材１を介して、ハンドホール等１０に取付けられたパイプ１２は、図示しない同様の他のハンドホールに接続され、ハンドホール等１０の開口部３側から目的とする電力ケーブル、通信ケーブル、光ファイバーケーブルなどのケーブルを挿通して前記他のハンドホールから引き出し、これらを順次実施することによってケーブルの敷設を行うことができる。
【００２５】
【発明の効果】
この発明にかかるハンドホール等におけるパイプの接続方法は、設定した管受部の長さ方向の、所定位置の内周面に、挿入すべきパイプの端部を位置決めするのためのリング状の凹溝を設けたソケット部材を使用して実施するもので、このソケット部材をハンドホール等の側壁を貫通して固定したのち、一端開口部から取付けんとするパイプを挿入する際に、リング状の凹溝に他端開口部から光線を当たることによって、当該部位に陰影を生ぜしめることができるため、ハンドホール等の内部から、きわめて容易にその位置を確認することができる。
したがって、これに合わせて挿入するパイプの端部を、このリング状の凹溝の位置に留めることによって、短時間にパイプの挿入深度を決定することができると共に、ソケット部材に接続するパイプを安定に取付けることができ、作業能率を大幅に向上させることができるものである。
【００２６】
その際、この発明に使用するパイプ接続用のソケット部材は、管受部の内部にリング状の凹溝を形成するに際し、ブロー成形によって簡単かつ容易にリング状に形成することができ、ソケット部材へのリング状の凹溝の形成がきわめて簡単にできる点において優れた特徴を有するもので、このリング状の凹溝の設定は、長いソケット部材に対するパイプの接続に特に有利に機能するものである。
【図面の簡単な説明】
【図１】  この発明にかかるハンドホール等におけるパイプ接続方法に用いるソケット部材の一例における使用状態を示す一部切欠断面図である。
【図２】  従来のパイプ接続用のソケット部材の使用状態を示す縦断面図である。
【符号の説明】
１      パイプ接続用のソケット部材
２，３   開口部
４      管受部
５      パッキング保持部
６      縮径部
７      ガイド部
８      砂付加工部
９      凹溝
１０    ハンドホール等
１１    パッキング
１２    パイプ
【図１】
0004318090.tif 000002
【図２】
0004318090.tif 000003